(57)【要約】【課題】  ヘム曲げ加工性とプレス加工性とのバランスに優れ、曲げ異方性も少なく、面内異方性Δｒ値も小さい成形加工用アルミニウム合金板およびその製法を提供する。【解決手段】  Al−Mg−Si系合金よりなり、板表面、板厚方向に1／4、1／2の各位置のキューブ方位密度をＣ0、Ｃ1／4、Ｃ1／2とし、Ｃ0＜Ｃ1／4＞Ｃ1／2、20＜｛（Ｃ0＋Ｃ1／4＋Ｃ1／2）／3｝＜200の各条件を満たし、0°、90°耳率が5％以上、また圧延方向と0°、45°、90°の各方向の加工硬化指数（ｎ値）をｎ0、ｎ45、ｎ90として、ｎ0＜ｎ45＞ｎ90、0＜ｎ45−（ｎ0＋ｎ90）／2＜0.40の各条件を満たし、Δr値が1.2未満であるAl合金板。さらに結晶粒度がASTM4.0以上のAl合金板。その製法として、均質化処理条件および熱間圧延条件を厳密に規定した。【選択図】        なし【特許請求の範囲】
【請求項１】
Ｍｇ０．４〜０．７％（ｍａｓｓ％、以下同じ）、Ｓｉ０．８〜１．２％を含有し、かつＭｎ０．０３〜０．４％、Ｃｒ０．０１〜０．４％、Ｆｅ０．０３〜０．５％、Ｔｉ０．００５〜０．２％、Ｚｎ０．０３〜２．５％のうちから選ばれた１種または２種以上を含有し、さらにＣｕが０．１％以下に規制され、残部がＡｌおよび不可避的不純物よりなる合金が素材とされ、板表面のキューブ方位密度をＣ０、板表面から板厚方向に板厚の１／４の位置におけるキューブ方位密度をＣ１／４、板表面から板厚方向に板厚の１／２の位置におけるキューブ方位密度をＣ１／２として、次の（１）式および（２）式
Ｃ０＜Ｃ１／４＞Ｃ１／２      ・・・（１）
２０＜｛（Ｃ０＋Ｃ１／４＋Ｃ１／２）／３｝＜２００    ・・・（２）
を満たし、かつ０°、９０°耳率が５％以上であり、さらに板面内において圧延方向と平行な方向の加工硬化指数をｎ０、板面内において圧延方向に対し４５°をなす方向の加工硬化指数をｎ４５、板面内において圧延方向に対し９０°をなす方向の加工硬化指数をｎ９０として、次の（３）式および（４）式
ｎ０＜ｎ４５＞ｎ９０      ・・・（３）
０＜ｎ４５−（ｎ０＋ｎ９０）／２＜０．４０      ・・・（４）
を満たし、しかも圧延方向と平行な方向のランクフォード値をｒ０、板面内において圧延方向に対し４５°をなす方向のランクフォード値をｒ４５、板面内において圧延方向に対し直交する方向のランクフォード値をｒ９０として、次の（５）式により規定されるΔｒ値
Δｒ＝（ｒ０＋ｒ９０）／２−ｒ４５      ・・・（５）
が１．２未満であることを特徴とする、成形加工用アルミニウム合金板。
【請求項２】
請求項１に記載の成形加工用アルミニウム合金板において、
結晶粒度がＡＳＴＭナンバーで４．０以上であることを特徴とする、成形加工用アルミニウム合金板。
【請求項３】
請求項１もしくは請求項２に記載の成形加工用アルミニウム合金板を製造する方法において、
Ｍｇ０．４〜０．７％、Ｓｉ０．８〜１．２％を含有し、かつＭｎ０．０３〜０．４％、Ｃｒ０．０１〜０．４％、Ｆｅ０．０３〜０．５％、Ｔｉ０．００５〜０．２％、Ｚｎ０．０３〜２．５％のうちから選ばれた１種または２種以上を含有し、さらにＣｕが０．１％以下に規制され、残部がＡｌおよび不可避的不純物よりなる合金の鋳塊に対して、４９０〜５９０℃の範囲内の温度で均質化処理を行なって、４５０℃以下の温度に平均冷却速度３℃／ｍｉｎ以上で冷却し、その後熱間圧延を行なうにあたり、
（１）熱間圧延温度を３００〜４５０℃の範囲内、
（２）１パス当りの最大圧下量を８０ｍｍ以下、
（３）各パスの歪み速度を３５０／秒以下、
（４）熱間圧延中途の板厚が１５０〜５０ｍｍの段階における熱間圧延板の温度を２５０〜４３０℃の範囲内、
（５）熱間圧延開始から熱間圧延中途の板厚が１５０〜５０ｍｍの段階までの熱間圧延板の温度降下量を１５０℃以下、
（６）熱間圧延終了温度を２００〜３００℃の範囲内、
（７）熱間圧延終了温度から１００℃までの平均冷却速度を１００℃／ｈｒ以下、
にそれぞれ制御し、熱間圧延終了後、熱間圧延板に対し圧延率３０％以上の冷間圧延を施して製品板厚とし、さらに４８０℃以上の温度で溶体化処理を行ない、直ちに１００℃／ｍｉｎ以上の平均冷却速度で５０℃以上１５０℃未満の温度域まで冷却し、続いてその温度域内で１時間以上の安定化処理を行なうことを特徴とする、成形加工用アルミニウム合金板の製造方法。
【発明の詳細な説明】
【技術分野】
【０００１】
この発明は、自動車ボディシートやそのほか各種自動車部品、各種機械器具、家電製品やその部品等の素材として、成形加工および塗装焼付を施して使用されるＡｌ−Ｍｇ−Ｓｉ系のアルミニウム合金板およびその製造方法に関するものであり、成形性、特にヘム曲げ性およびプレス加工性が良好であるとともに、塗装焼付後の強度が高く、かつ室温での経時変化が少ない成形加工用アルミニウム合金板およびその製造方法に関するものである。
【背景技術】
【０００２】
従来自動車のボディシートとしては、主として冷延鋼板を使用することが多かったが、最近では車体軽量化等の観点から、アルミニウム合金圧延板を使用することが多くなっている。ところで自動車のボディシートはプレス加工を施して使用するところから、成形加工性が優れていること、また成形加工時におけるリューダースマークが発生しないことが要求され、また高強度を有することも必須であって、塗装焼付を施して使用するのが通常であるため、塗装焼付後に高強度が得られることが要求される。そしてまた成形性が良好であることが要求されるのはもちろんであるが、自動車用ボディシートとしては、アウターパネルとインナーパネルとを接合して一体化させるためなどにヘム曲げ加工を施して使用することが多いところから、成形性のうちでも特にヘム曲げ性が優れていることが強く要求される。
【０００３】
従来このような自動車用ボディシート向けのアルミニウム合金としては、Ａｌ−Ｍｇ系合金のほか、時効性を有するＡｌ−Ｍｇ−Ｓｉ系合金が主として使用されている。この時効性Ａｌ−Ｍｇ−Ｓｉ系合金は、塗装焼付前の成形加工時においては比較的強度が低くて成形性が優れている一方、塗装焼付時の加熱によって時効されて塗装焼付後の強度が高くなる利点を有するほか、リューダースマークが発生しない等の利点を有する。
【０００４】
なお、ヘム曲げ性などの曲げ加工性向上に関する従来技術としては、Ｍｇ２Ｓｉ化合物の粒径と数、あるいは粒界析出物、第２相粒子の分散密度などを制御する特許文献１、特許文献２の技術、また結晶粒界の方位差が１５°以下あるいは２０°以下の結晶粒界の割合を規制する特許文献３、特許文献４の技術、さらに集合組織の｛２００｝面あるいは｛４００｝面の積分強度を規制する特許文献５、特許文献６等がある。また本発明者等も既に特許文献７に示される提案を行なっている。
【０００５】
【特許文献１】特開２００３−１０５４７１
【特許文献２】特開２００３−２６８４７２
【特許文献３】特開２００３−１７１７２６
【特許文献４】特開２００３−１６６０２９
【特許文献５】特開２００３−２２６９２６
【特許文献６】特開２００３−２２６９２７
【特許文献７】特開２００３−２６８４７５
【発明の開示】
【発明が解決しようとする課題】
【０００６】
前述のような自動車用ボディシート向けの時効性Ａｌ−Ｍｇ−Ｓｉ系合金板についての従来の製造方法により得られた板では、最近の自動車用ボディシートに要求される特性を充分に満足させることは困難であった。
【０００７】
すなわち、最近ではコストの一層の低減や自動車車体の軽量化等のために、自動車用ボディシートについてさらに薄肉化することが強く要求されており、そのため薄肉でも充分な強度が得られるように、一層の高強度化が求められると同時に、成形性、特にヘム曲げ性の改善が強く要求されているが、これらの性能をバランスよく満足させる点について従来の一般的な製造方法によって得られたＡｌ−Ｍｇ−Ｓｉ系合金板では不充分であった。特にヘム曲げ加工は、曲げ内径が１ｍｍ以下の１８０°曲げという過酷な曲げ加工であるため、良好なヘム曲げ性と強度とを両立させることが困難であるという問題があった。
【０００８】
また塗装焼付については、省エネルギおよび生産性の向上、さらには高温に曝されることが好ましくない樹脂等の材料との併用などの点から、従来よりも焼付温度を低温化し、また焼付時間も短時間化する傾向が強まっている。しかしながら従来の一般的な製法により得られた時効性Ａｌ−Ｍｇ−Ｓｉ系合金板の場合、低温・短時間の塗装焼付処理では、塗装焼付時の硬化（焼付硬化）が不足し、塗装焼付後に充分な高強度が得難くなる問題があった。
【０００９】
ここで、従来の一般的な製法により得られた時効性Ａｌ−Ｍｇ−Ｓｉ系合金板では、塗装焼付後に高強度を得るために焼付硬化性を高めようとすれば、素材の延性と曲げ加工性（特にヘム曲げ性）が低下し、また板製造後に室温に放置した場合に自然時効により硬化が生じやすくなり、そのため成形性、特にヘム曲げ性が阻害されがちとなるという問題が生じている。
【００１０】
また前記各特許文献のうち、特許文献１、特許文献２では、化合物分散状態、特にＭｇ２Ｓｉの粒径と数、あるいは粒界析出物、第２相粒子の分散状態などを規制することにより曲げ加工性などを改善することが提案されているが、その効果は未だ充分ではなかった。
【００１１】
一方特許文献３、特許文献４においては、結晶粒間の方位差が１５°以下あるいは２０°以下である結晶粒界の割合を規制することにより曲げ加工性などを改善することが提案されており、確かにこの方法では、曲げ加工性についてある程度の改善効果が図られるが、本発明者らが実験・検討を重ねた結果、結晶粒間の方位差が１５°以下あるいは２０°以下である結晶粒界の割合が２０％を越えても、圧延板のあらゆる方向の曲げ性がすべて改善されるわけではないことが判明した。例えば、圧延方向に対し平行な方向、あるいは圧延方向に対し直交する方向の曲げ性の改善が図られても、圧延方向に対し４５°をなす方向の曲げ性は改善されず、所謂、曲げ異方性という問題が生じてしまうことが判明した。
【００１２】
さらに特許文献５、特許文献６においては、圧延集合組織制御として、｛２００｝面と｛４００｝面の積分強度を規制してフラットヘム加工性を改善することが提案されており、また本願出願人等による特許文献７では、キューブ方位密度、ＮＤ回転キューブ方位密度と耳率を規制してヘム曲げ性を改善することを提案している。これらの方法でも確かに曲げ性の一定の改善効果が得られるが、本発明者等がさらに実験・検討を重ねた結果、これらの方法では、ヘム曲げ性は改善されても、成形加工時における加工硬化量の指標となるｎ値（加工効果指数）が面内各方向で不均一となるという異方性（以下このような加工硬化指数ｎ値の面内での異方性について“ｎ値異方性”と称することとする）が顕著となり、また同時に深絞り性の指標とされるランクフォード値（ｒ値；塑性ひずみ値）が板面内各方向で不均一となるという異方性（以下このような塑性ひずみ値についての板面内での異方性を単に“面内異方性”と称することとする）が顕著となり、その結果プレス加工における成形性（プレス加工性）が低下するおそれがあることが判明した。このようなｎ値異方性や面内異方性の問題は、特許文献５〜７では全く考慮されていなかったが、自動車用ボディシート等においては、深絞りを伴なうプレス加工が多用されているところから、ヘム曲げ性で代表される曲げ加工性が良好であっても、プレス加工性が低下すれば、加工用素材としての価値が低くなり、したがってｎ値異方性や面内異方性を適切に制御して、曲げ加工性とプレス加工性とのバランスが良好な材料とすることも自動車用ボディシート等においては極めて重要である。
【００１３】
この発明は以上の事情を背景としてなされたもので、曲げ加工性とプレス加工性とのバランスが優れていて、曲げ加工性とプレス加工性がともに良好であり、また曲げ異方性も小さく、さらには焼付硬化性が優れていて、塗装焼付時における強度上昇が大きく、しかも板製造後の室温での経時的な変化が少ない成形加工用アルミニウム合金板を提供するとともに、このように優れた性能を有する成形加工用アルミニウム合金板を、量産的規模で確実かつ安定して製造し得る方法を提供することを目的とするものである。
【課題を解決するための手段】
【００１４】
前述のような課題を解決するべく本発明者等が種々実験・検討を重ねた結果、Ａｌ−Ｍｇ−Ｓｉ系合金の成分組成を適切に調整するばかりでなく、結晶組織として、特定の方位、特にキューブ方位（立方体方位）の結晶方位密度を高めると同時にそのキューブ方位密度分布を板厚方向に適切に規制することによって、曲げ加工性、特にヘム曲げ性を向上させ得ると同時に、その異方性（曲げ異方性）を小さくすることができるとともに、良好な焼付硬化性、室温での経時変化性を得ることができ、さらにそればかりでなく、特に面内異方性を小さくすると同時にｎ値異方性を適切に規制することによって、曲げ加工性を損なうことなく良好なプレス加工性を得ることができることを見出した。そしてまたこのような優れた性能を有する成形加工用アルミニウム合金板を、量産的規模で安定して製造し得るプロセス条件を見出し、この発明をなすに至ったのである。
【００１５】
具体的には、請求項１の発明の成形加工用アルミニウム合金板は、Ｍｇ０．４〜０．７％、Ｓｉ０．８〜１．２％を含有し、かつＭｎ０．０３〜０．４％、Ｃｒ０．０１〜０．４％、Ｆｅ０．０３〜０．５％、Ｔｉ０．００５〜０．２％、Ｚｎ０．０３〜２．５％のうちから選ばれた１種または２種以上を含有し、さらにＣｕが０．１％以下に規制され、残部がＡｌおよび不可避的不純物よりなる合金が素材とされ、板表面のキューブ方位密度をＣ０、板表面から板厚方向に板厚の１／４の位置におけるキューブ方位密度をＣ１／４、板表面から板厚方向に板厚の１／２の位置におけるキューブ方位密度をＣ１／２として、次の（１）式および（２）式
Ｃ０＜Ｃ１／４＞Ｃ１／２      ・・・（１）
２０＜｛（Ｃ０＋Ｃ１／４＋Ｃ１／２）／３｝＜２００    ・・・（２）
を満たし、かつ０°、９０°耳率が５％以上であり、さらに板面内において圧延方向と平行な方向の加工硬化指数をｎ０、板面内において圧延方向に対し４５°をなす方向の加工硬化指数をｎ４５、板面内において圧延方向に対し９０°をなす方向の加工硬化指数をｎ９０として、次の（３）式および（４）式
ｎ０＜ｎ４５＞ｎ９０      ・・・（３）
０＜ｎ４５−（ｎ０＋ｎ９０）／２＜０．４０      ・・・（４）
を満たし、しかも圧延方向と平行な方向のランクフォード値をｒ０、板面内において圧延方向に対し４５°をなす方向のランクフォード値をｒ４５、板面内において圧延方向に対し直交する方向のランクフォード値をｒ９０として、次の（５）式により規定されるΔｒ値
Δｒ＝（ｒ０＋ｒ９０）／２−ｒ４５      ・・・（５）
が１．２未満であることを特徴とするものである。
【００１６】
また請求項２の発明の成形加工用アルミニウム合金板は、請求項１に記載の成形加工用アルミニウム合金板において、結晶粒度がＡＳＴＭナンバーで４．０以上であることを特徴とするものである。
【００１７】
さらに請求項３の発明の成形加工用アルミニウム合金板の製造方法は、請求項１もしくは請求項２に記載の成形加工用アルミニウム合金板を製造する方法において、Ｍｇ０．４〜０．７％、Ｓｉ０．８〜１．２％を含有し、かつＭｎ０．０３〜０．４％、Ｃｒ０．０１〜０．４％、Ｆｅ０．０３〜０．５％、Ｔｉ０．００５〜０．２％、Ｚｎ０．０３〜２．５％のうちから選ばれた１種または２種以上を含有し、さらにＣｕが０．１％以下に規制され、残部がＡｌおよび不可避的不純物よりなる合金の鋳塊に対して、４９０〜５９０℃の範囲内の温度で均質化処理を行なって、４５０℃以下の温度に平均冷却速度３℃／ｍｉｎ以上で冷却し、その後熱間圧延を行なうにあたり、
（１）熱間圧延温度を３００〜４５０℃の範囲内、
（２）１パス当りの最大圧下量を８０ｍｍ以下、
（３）各パスの歪み速度を３５０／秒以下、
（４）熱間圧延中途の板厚が１５０〜５０ｍｍの段階における熱間圧延板の温度を２５０〜４３０℃の範囲内、
（５）熱間圧延開始から熱間圧延中途の板厚が１５０〜５０ｍｍの段階までの熱間圧延板の温度降下量を１５０℃以下、
（６）熱間圧延終了温度を２００〜３００℃の範囲内、
（７）熱間圧延終了温度から１００℃までの平均冷却速度を１００℃／ｈｒ以下、
にそれぞれ制御し、熱間圧延終了後、熱間圧延板に対し圧延率３０％以上の冷間圧延を施して製品板厚とし、さらに４８０℃以上の温度で溶体化処理を行ない、直ちに１００℃／ｍｉｎ以上の平均冷却速度で５０℃以上１５０℃未満の温度域まで冷却し、続いてその温度域内で１時間以上の安定化処理を行なうことを特徴とするものである。
【００１８】
なおこの発明においてキューブ方位密度とは、キューブ理想方位である（１００）＜００１＞方位の結晶方位密度を意味する。すなわち、一般の工業用材料では、上記のキューブ理想方位を中心に１５°まで回転させた範囲内の結晶方位密度をキューブ方位密度と称することが多いが、この発明では上述のようにキューブ理想方位の方位密度と、そのキューブ理想方位の周辺方位の方位密度（圧延方向軸ＲＤを基準としてキューブ理想方位を１０°回転させた結晶方位の方位密度、および板面法線軸ＮＤを基準としてキューブ理想方位を１０°回転させた結晶方位の方位密度）とを明確に区別するため、キューブ理想方位の方位密度をもってキューブ方位密度と称することとしている。
【００１９】
またこの発明において、キューブ方位密度の数値（式（２）の右辺、左辺の数値）は、ランダム方位試料に対する倍数であらわしている。
【００２０】
さらにこの発明において、各方向の加工硬化指数（ｎ０、ｎ４５、ｎ９０）は、各方向に沿って採取した試験片について引張試験を施して伸びが１０％のときのｎ値であらわしたものとする。ここでｎ値は、σを真応力、εを真歪、Ｆを係数、ｎをｎ値とすれば、次の（６）式
σ=Ｆεｎ      ・・・（６）
によって求められる値である。
【発明の効果】
【００２１】
この発明の成形加工用アルミニウム合金板は、成形性、特にヘム曲げ性が優れていると同時にプレス加工性も優れており、また曲げ異方性も小さく、さらには塗装焼付硬化性が良好で塗装焼付後の強度が高く、また室温での経時変化も少なく、したがって塗装後にプレス加工やヘム曲げ加工を施して使用される自動車用ボディシート等に最適である。またこの発明の製造方法によれば、上述のように優れた性能を有する成形加工用アルミニウム合金板を、量産的規模で確実かつ安定して得ることができる。
【発明を実施するための最良の形態】
【００２２】
先ずこの発明の成形加工用アルミニウム合金板における成分組成の限定理由について説明する。
【００２３】
Ｍｇ：
Ｍｇはこの発明で対象としている系の合金で基本となる合金元素であって、Ｓｉと共同して強度向上に寄与する。Ｍｇ量が０．４％未満では塗装焼付時に析出硬化によって強度向上に寄与するＧ．Ｐ．ゾーンの生成量が少なくなるため、充分な強度向上が得られず、一方０．７％を越えれば、粗大なＭｇ−Ｓｉ系の金属間化合物が生成され、キューブ方位密度を高めるために不利となり、成形性、特に曲げ加工性が低下するから、Ｍｇ量は０．４〜０．７％の範囲内とした。
【００２４】
Ｓｉ：
Ｓｉもこの発明の系の合金で基本となる合金元素であって、Ｍｇと共同して強度向上に寄与する。またＳｉは、鋳造時に金属Ｓｉの晶出物として生成され、その金属Ｓｉ粒子の周囲が加工によって変形されて、溶体化処理の際に再結晶核の生成サイトとなるため、再結晶組織の微細化にも寄与する。Ｓｉ量が０．８％未満では上記の効果が充分に得られず、一方１．２％を越えれば粗大なＳｉ粒子や粗大なＭｇ−Ｓｉ系の金属間化合物が生じてキューブ方位密度を高めるために不利となり、成形性、特に曲げ加工性の低下を招く。したがってＳｉ量は０．８〜１．２％の範囲内とした。
【００２５】
Ｍｎ、Ｃｒ、Ｆｅ、Ｔｉ、Ｚｎ：
これらの元素は、強度向上や結晶粒微細化、あるいは時効性の向上や表面処理性の向上に有効であり、いずれか１種または２種以上を添加する。これらのうちＭｎ、Ｃｒは強度向上と結晶粒の微細化および組織の安定化に効果があり、またキューブ方位密度を高めるとともに０°耳、９０°耳の耳率を高めることに寄与する元素であるが、Ｍｎの含有量が０．０３％未満、もしくはＣｒの含有量が０．０１％未満では、上記の効果が充分に得られず、一方Ｍｎ、Ｃｒの含有量がそれぞれ０．４％を越えれば、上記の効果が飽和するばかりでなく、多数の金属間化合物が生成されて成形性、特にヘム曲げ性に悪影響を及ぼすおそれがあり、したがってＭｎは０．０３〜０．４％の範囲内、Ｃｒは０．０１〜０．４％の範囲内とした。またＦｅも強度向上と結晶粒微細化に有効な元素であるが、その含有量が０．０３％未満では充分な効果が得られず、一方０．５％を越えれば、キューブ方位密度を高める上において不利となるとともに、０°、９０°耳率を高くするために不利となって、成形性、特に曲げ加工性、プレス成形性が低下するおそれがあり、したがってＦｅ量は０．０３〜０．５％の範囲内とした。さらにＴｉも強度向上と鋳塊組織の微細化に有効な元素であるが、その含有量が０．００５％未満では充分な効果が得られず、一方０．２％を越えればＴｉ添加の効果が飽和するばかりでなく、粗大な晶出物が生じるおそれがあるから、Ｔｉ量は０．００５〜０．２％の範囲内とした。またＺｎは時効性向上を通じて強度向上に寄与するとともに表面処理性の向上に有効な元素であるが、Ｚｎの添加量が０．０３％未満では上記の効果が充分に得られず、一方２．５％を越えれば成形性が低下するから、Ｚｎ量は０．０３〜２．５％の範囲内とした。
【００２６】
Ｃｕ：
Ｃｕは強度向上および成形性向上のために添加されることがある元素であるが、その量が０．１％を越えれば耐食性（耐粒界腐食性、耐糸錆性）が劣化するから、Ｃｕの含有量は０．１％以下に規制することとした。なお特に耐食性を重視する場合は、Ｃｕ量は０．０５％以下に規制することが望ましい。
【００２７】
以上の各元素のほかは、基本的にはＡｌおよび不可避的不純物とすれば良い。
【００２８】
なお上記のＭｎ、Ｃｒ、Ｆｅ、Ｔｉ、Ｚｎの含有量範囲は、それぞれ積極的に添加する場合の範囲として示したものであり、いずれも下限値より少ない量を不純物として含有する場合を排除するものではない。特に０．０３％未満のＦｅは、通常のアルミ地金を用いれば不可避的に含有されるのが通常である。
【００２９】
また時効性Ａｌ−Ｍｇ−Ｓｉ系合金においては、高温時効促進元素あるいは室温時効抑制元素であるＡｇ、Ｉｎ、Ｃｄ、Ｂｅ、あるいはＳｎを微量添加することがあるが、この発明の場合も微量添加であればこれらの元素の添加も許容され、それぞれ０．３％以下であれば特に所期の目的を損なうことはない。
【００３０】
なおまた、一般のＡｌ合金においては、鋳塊組織の微細化のために前述のＴｉと同時にＢを添加することもあり、この発明の場合もＴｉとともに８００ｐｐｍ以下のＢを添加することは許容される。
【００３１】
そしてまた、強度向上および結晶粒の微細化、および組織の安定化に効果があると思われるＺｒ、Ｖを添加しても良く、その場合それぞれ０．３％以下であれば特に性能面に悪影響を与えることはない。
【００３２】
さらにこの発明の成形加工用アルミニウム合金板において、良好な曲げ加工性、特に良好なヘム曲げ性を得ると同時に、曲げ異方性、面内異方性を小さく抑制するためには、合金の成分組成を前述のように調整するばかりではなく、板の集合組織、特に結晶方位密度およびその板厚方向分布を適切に制御することが極めて重要である。
【００３３】
すなわちこの発明において、結晶方位密度を規制しているのは、粒界の性質（小角か大角か）を制御するためだけではなく、アルミニウム合金の塑性変形に伴う結晶のすべり変形全体を制御することを主目的としている。そして特に曲げ加工中に交差すべりが生じやすいような結晶方位の集積度を高めることが極めて重要であり、そのようにすることによって、加工による転位密度の増加を抑えて、加工硬化を抑制することが可能となるのである。さらにその結果、ヘム曲げ加工の際において、加工硬化の抑制により割れ限界強度に達するまで材料の大歪変形が可能となる。ここで、すべり変形挙動を、比較的ランダムな結晶方位を有する従来の材料、言い換えれば比較的交差すべりが生じ難い従来材料と大きく異ならしめるためには、結晶方位の集積が必要である。一方実際の材料では、種々の結晶方位が存在するが、本発明者らが鋭意検討を重ねた結果、種々の結晶方位のうちでも特にキューブ方位の方位密度、すなわち（００１）＜１００＞方位の方位密度を高めることによって、すべり変形挙動を、従来材料とは大きく異ならしめることができることを見出した。すなわち、キューブ方位密度を高めることによって、加工変形中における交差すべりが活発となり、加工硬化が抑制され、曲げ加工性が改善されるのである。
【００３４】
ここで、単純にキューブ方位密度を高めるだけでは、プレス加工性が低下してしまうなど、材料特性のバランスが低下するおそれがある。そこで本発明者等がさらに実験・検討を重ねたところ、キューブ方位密度を単純に高めるのではなく、板厚方向におけるキューブ方位密度分布を適切に規制することによって、プレス加工性を損なうことなく曲げ加工性を向上させ得ることを見出した。
【００３５】
すなわち、板表面の位置におけるキューブ方位密度をＣ０、板表面から板厚方向に板厚の１／４の位置におけるキューブ方位密度をＣ１／４、板表面から板厚方向に板厚の１／２の位置におけるキューブ方位密度をＣ１／２とすれば、次の（１）式、（２）式
Ｃ０＜Ｃ１／４＞Ｃ１／２      ・・・（１）
２０＜｛（Ｃ０＋Ｃ１／４＋Ｃ１／２）／３｝＜２００    ・・・（２）
を満たすことによって、プレス加工性を損なうことなく曲げ加工性を向上させ得ることを見出し、そこでこれらの（１）式、（２）式を規定した。
【００３６】
ここで（１）式は、板表面から板厚の１／４の位置のキューブ方位密度が、板表面のキューブ方位密度および板表面から板厚の１／２の位置のキューブ方位密度より高いことをあらわし、したがってこの（１）式は、板表面側および板厚方向中心部側よりもその中間部分の方がキューブ方位密度が高いことを意味する。また（２）式は、板厚方向の平均キューブ方位密度がランダム方位試料の２０倍を越え、２００倍未満であることを意味する。これらの（１）式、（２）式が満たされない場合には、曲げ異方性を含めた曲げ加工性とプレス加工性とのバランスに優れた材料が得られなくなる。
【００３７】
さらにこの発明の成形加工用アルミニウム合金板では、板全体にわたって０°耳、９０°耳の耳率が５％以上であることも重要である。すなわち、前述のようにこの発明では良好な曲げ加工性を確保しかつ曲げ異方性を抑制するためにキューブ方位密度およびその板厚方向分布を規定しているが、それ以外の結晶方位の方位密度もある程度は曲げ加工性に影響を与える。しかしながら実際上は、これらの方位以外のすべての結晶方位の方位密度を厳密に規定することは困難である。一方、板のカッピング試験で絞ったカップの耳率によれば、材料の結晶方位をマクロ的に評価することができる。そこでこの発明では、キューブ方位やその周辺方位以外の結晶方位の方位密度の影響を、０°耳、９０°耳で評価、規制することとした。具体的には、圧延方向を基準にカップの０°、９０°耳率が５％未満では、たとえ前述のキューブ方位密度およびその板厚方向分布の条件が満足されていても、良好な曲げ加工性、曲げ異方性が得られないおそれがある。そこでこの発明では耳率に関して前述のように規制することとした。
【００３８】
そしてまたこの発明の成形加工用アルミニウム合金板においては、面内加工硬化異方性の指標として、製品板の板面内における各方向の加工硬化指数（ｎ値）を規定している。すなわち圧延方向と平行な方向のｎ値をｎ０、板面内において圧延方向に対し４５°をなす方向のｎ値をｎ４５、板面内において圧延方向に対し直交する方向（９０°方向）のｎ値をｎ９０として、次の（３）式、（４）式を満たすことを規定している。
ｎ０＜ｎ４５＞ｎ９０      ・・・（３）
０＜ｎ４５−（ｎ０＋ｎ９０）／２＜０．４０      ・・・（４）
【００３９】
このように（３）式、（４）式を規定した理由は次の通りである。
【００４０】
加工硬化指数（ｎ値）は、材料に対する加工を与えたときの加工硬化の程度の指標となる値であって、一般には合金の化学成分、溶質元素の固溶量などと密接に関係すると言われているが、本発明者等が実験・検討を重ねた結果、同一合金板でも、板面内の各方向によってｎ値が異なる現象、すなわちｎ値異方性が存在することが判明したが、さらに実験・検討を重ねたところ、ｎ値の板面内各方向の値は、材料の結晶方位の集積度と強い相関があることを見出した。またこのｎ値は、前述のようにそれ自体が加工硬化の程度の指標であることから、ｎ値の大きさはプレス成形性に関係する。そして面内各方向のｎ値、特に板面内の各方向を代表する３方向、すなわち圧延方向に対し０°の方向、４５°の方向、９０°の方向のｎ値（ｎ０、ｎ４５、ｎ９０）を考慮した場合のこれらのｎ０、ｎ４５、ｎ９０の値の相互関係を適切に規制することによって、安定的に良好なプレス加工性、ヘム曲げ性が得られることが判明し、前記（３）式、（４）式を規定したのである。
【００４１】
上記の（３）式は、板面内で圧延方向と平行な方向（０°方向）のｎ値（ｎ０）、圧延方向に直角な方向（９０°方向）のｎ値（ｎ９０）がいずれも圧延方向に対し４５°の方向のｎ値（ｎ４５）よりも低いことを表わしている。一方（４）式は、４５°方向のｎ値（ｎ４５）と、０°方向のｎ値（ｎ０）および９０°方向のｎ値（ｎ９０）の平均値との差（Δｎ）を、
Δｎ＝ｎ４５−（ｎ０＋ｎ９０）／２
とすれば、そのΔｎが０より大きくかつ０．４０より小さいことを表わしている。言い換えれば、４５°方向のｎ値を０°方向、９０°方向のｎ値よりも大きくして、板面内にｎ値の異方性が存在することを許容してはいるが、その異方性の程度（Δｎ）をさほど大きくはない適切な範囲内に規制していることを意味している。
【００４２】
ここで、ｎ値の異方性が存在すること自体は、曲げ加工性の向上に有利である。しかしながらｎ値の異方性が大き過ぎればプレス成形性が低下する。したがってプレス加工性と曲げ加工性とを両立させるためには適切な範囲内でｎ値の異方性が存在することが重要であり、その観点からｎ値の異方性を規制したのが（３）式、（４）式である。各方向のｎ値が（３）式、（４）式を満たさない場合には、プレス加工性、曲げ加工性のいずれかが損なわれて、バランスの良い材料が得られなくなる。なお前述のようにｎ値の異方性が存在する方が曲げ加工性に有利である理由は未だ定かではないが、加工中に転位の集積度が緩和されるためと思われる。
【００４３】
なお前記（４）式ではΔｎ＝ｎ４５−（ｎ０＋ｎ９０）／２の値を０＜Δｎ＜０．４０と規定しているが、より安定してプレス加工性および曲げ加工性のバランスに優れた材料を得るためには、
０．０２＜Δｎ＜０．３０
の範囲内とすることが望ましい。
【００４４】
そしてまたこの発明の成形加工用アルミニウム合金板においては、プレス加工性とヘム曲げ性で代表される曲げ加工性との良好なバランスをより一層安定的に得るため、面内塑性ひずみ異方性の指標としての製品板のランクフォード値（ｒ値）の異方性（Δr値）を規定している。すなわち圧延方向と平行な方向のランクフォード値をｒ０、板面内において圧延方向に対し４５°をなす方向のランクフォード値をｒ４５、板面内において圧延方向に対し直交する方向のランクフォード値をｒ９０として、次の（５）式により規定されるΔｒ値
Δｒ＝（ｒ０＋ｒ９０）／２−ｒ４５      ・・・（５）
が１．２未満であることを規定している。すなわちΔｒ＜１．２であることが必要である。このようにΔｒ値＜１．２を規定した理由は次の通りである。
【００４５】
（５）式で表わされるΔｒ値は、塑性ひずみ値（ｒ値）の板面内各方向でのばらつき、すなわち面内塑性ひずみ異方性を表わす指標であって、Δｒ値が大き過ぎれば、プレス加工などの深絞り時において板面内各方向での塑性変形に差が生じて、プレス加工性などが低下するおそれがあり、材料の特性バランス、特にプレス加工性とヘム曲げ性とのバランスにとっては好ましくない。
【００４６】
さらに請求項２の発明の成形加工用アルミニウム合金板においては、その結晶粒サイズがＡＳＴＭナンバーで４．０以上であることを規定している。このように規定した理由は次の通りである。
【００４７】
すなわち、曲げ加工性の向上、プレス成形時の外観欠陥である肌荒れを防止するためには、結晶粒度を細かくする必要がある。そして本発明者等が実験・検討を重ねた結果、結晶粒度をＡＳＴＭナンバー４．０以上にすれば、曲げ加工性の向上や肌荒れ（外観欠陥）を防止する効果があることを見出し、その条件を規定したのである。
【００４８】
次にこの発明の成形加工用アルミニウム合金板の製造方法について説明する。
【００４９】
先ず前述のような成分組成の合金を常法に従って溶製し、ＤＣ鋳造法等の通常の鋳造法によって鋳造する。
【００５０】
得られた鋳塊に対しては、４９０〜５９０℃の範囲内の温度で均質化処理を行なった後、４５０℃以下の温度域まで３℃／ｍｉｎ以上の冷却速度で冷却する。このように均質化処理条件およびその後の冷却条件を規定した理由は次の通りである。
【００５１】
すなわち均質化処理は、鋳塊の添加元素の偏析を除去したり、鋳塊のセル・結晶粒の境界に存在する粗大な第２相粒子、晶出物などを母相に固溶させる効果があり、製品板の性能のばらつきの低減、さらには熱間圧延工程、冷延工程、溶体化工程と有機的に結び付けて所要の結晶方位を得るにも重要な工程である。この均質化処理の温度が４９０℃未満では、上述の効果が不充分であり、一方５９０℃を越えれば、共晶融解のおそれがあるため、均質化処理温度は４９０〜５９０℃の範囲内とした。
【００５２】
また均質化処理後、４５０℃以下の温度域まで３℃／ｍｉｎ以上の冷却速度で冷却することは、高い焼付け硬化性を得るために不可欠である。４５０℃以下の温度域への冷却速度が３℃／ｍｉｎより遅ければ、冷却過程において析出物の粗大化が起こり、その後の４５０℃以下で開始される熱間圧延では、その粗大化の解消にならず、それに伴ない、熱間圧延−冷間圧延後の短時間の溶体化処理工程では、充分なＭｇとＳｉの固溶量を確保できず、その結果高い焼付け硬化性を得ることが困難となる。
【００５３】
上述のように均質化処理後に４５０℃以下の温度域に３℃／ｍｉｎ以上で冷却した後には、後述するように３００〜４５０℃の範囲内の温度で熱間圧延を開始するが、この場合、均質化処理後３００〜４５０℃の温度範囲内まで３℃／ｍｉｎ以上の冷却速度で冷却して、直ちにその３００〜４５０℃の温度範囲内で熱間圧延を開始しても、あるいは均質化処理後に３００℃以下まで３℃／ｍｉｎ以上の冷却速度で冷却した後、改めて３００〜４５０℃の範囲内の温度に予備加熱して、その温度範囲内で熱間圧延を開始しても良く、これらのいずれを選択しても特に性能面に影響はない。
【００５４】
なお均質化処理後の鋳塊の組織は可及的に微細であることが望ましく、具体的には鋳塊結晶粒度がＡＳＴＭナンバー００以上であることが望ましい。すなわち、鋳塊組織の微細化は、製品板の成形時における板表面の筋状の外観欠陥（リジング）の発生防止、すなわち耐リジング性の改善に有効であり、そのためには鋳塊組織微細化剤として既に述べたように、Ｔｉ、もしくはＴｉおよびＢを添加しておくことが望ましい。
【００５５】
均質化処理後には、前述のように熱間圧延を行なうが、この熱間圧延は、次の（１）〜（７）の条件を満たすように行なう必要がある。
（１）熱間圧延開始温度を３００〜４５０℃の範囲内の温度。
（２）１パス当りの最大圧下量を８０ｍｍ以下。
（３）各パスの歪み速度を３５０／秒以下。
（４）熱間圧延中途の板厚が１５０〜５０ｍｍの段階における熱間圧延板の温度を２５０〜４３０℃の範囲内。
（５）熱間圧延開始から熱間圧延中途の板厚が１５０〜５０ｍｍの段階までの熱間圧延板の温度降下量を１５０℃以下。
（６）熱間圧延終了温度を２００〜３００℃の範囲内。
（７）熱間圧延終了温度から１００℃までの平均冷却速度を１００℃／ｈｒ以下。
【００５６】
これらの熱間圧延条件を規定した理由は次の通りである。
【００５７】
すなわち先ず（１）の条件、すなわち熱間圧延開始温度を３００〜４５０℃の範囲内とすることは、熱間圧延中の材料の再結晶を抑制して、所要の結晶方位密度を得ると同時に、耐リジング性の改善を図るために不可欠な条件である。熱間圧延開始温度が３００℃以下では、熱間圧延自体が困難となり、一方４５０℃を越える高温で熱間圧延を開始すれば、耐リジング性の改善が得られなくなるから、熱間圧延開始温度は３００〜４５０℃の範囲内とした。
【００５８】
さらに前記（２）〜（７）の条件、すなわち１パス当りの最大圧下量を８０ｍｍ以下とし、各パスの歪み速度を３５０／秒以下とし、熱間圧延中途の板厚が１５０〜５０ｍｍの段階の材料温度を２５０〜４３０℃の範囲内に制御するとともに、熱間圧延開始からその板厚段階までの熱間圧延板の温度降下量を１５０℃以内に制御し、熱間圧延終了温度を１８０〜３３０℃の範囲内に制御し、さらに熱間圧延終了温度から１００℃までの平均冷却速度を５℃／ｍｉｎ以下にすることも、結晶方位密度の適切な制御とリジング性の改善に必要である。すなわち本発明者等が実験・検討を重ねた結果、熱間圧延の開始温度の制御だけでは、結晶方位密度およびその板厚方向分布、面内各方向ｎ値の適切な制御とリジング性の改善が図れないことが判明した。そしてさらに鋭意実験・検討を重ねたところ、熱間圧延過程の再結晶を抑制して所要の結晶方位密度、板厚方向結晶方位密度分布、ｎ値条件を得るとともに耐リジング性の改善を図るためには、熱間圧延開始温度のほかに、各パスの最大圧下量、各パスの歪み速度、熱間圧延中途における板厚１００〜５０ｍｍの段階での熱間圧延板の温度、および熱間圧延開始からその板厚段階までの熱間圧延板の温度降下量、さらには熱間圧延終了温度も適切に規制する必要があることを見出した。また特に板厚方向に所定の結晶方位密度分布を安定的に得るとともに所要のｎ値条件を満たすためには、熱間圧延終了温度からその後の１００℃までの平均冷却速度を５℃／ｍｉｎ以下にする必要があることを見出し、これらの（２）〜（７）の条件を規定したのである。これらの（２）〜（７）の条件のいずれかが満たされなければ、所要の結晶方位密度およびその板厚方向分布条件もしくはｎ値条件が満たされなくなるかまたは耐リジング性の充分な改善を図ることが困難となる。
【００５９】
上述のようにして熱間圧延を行なってコイルに巻取った後には、中間焼鈍を行なわずに圧延率３０％以上で冷間圧延を施して所要の板厚（製品板厚）とする。このように３０％以上の圧延率で冷間圧延することにより、既に述べたような結晶方位密度条件を有する製品板を得ることができる。またここで、冷間圧延率を３０％以上にすることによって、材料に高い歪みエネルギーが蓄積され、熱間圧延後の溶体化処理−焼入れ時に形成された結晶粒が細かくなって、成形加工後に良好な表面外観品質を得ることが可能となる。冷間圧延率が３０％未満では、成形時に肌荒れ等の表面欠陥が発生するおそれがある。なお特に外観品質を重視する場合には、冷間圧延率は５０％以上とすることが好ましい。
【００６０】
上述のようにして所要の製品板厚とした後には、４８０℃以上の温度で溶体化処理を行なう。この溶体化処理は、Ｍｇ２Ｓｉ、単体Ｓｉ等をマトリックスに固溶させ、これにより焼付硬化性を付与して塗装焼付後の強度向上を図るために重要な工程である。またこの工程は、Ｍｇ２Ｓｉ、単体Ｓｉ粒子等の固溶により第二相粒子の分布密度を低下させて、延性と曲げ性を向上させるためにも寄与し、さらには再結晶により最終的に所要の結晶方位を得て、良好な曲げ加工性とプレス加工性を得るためにも重要な工程である。
【００６１】
溶体化処理温度が４８０℃未満の場合、室温での経時変化の抑制に対しては有利と考えられるが、その場合Ｍｇ２Ｓｉ、Ｓｉなどの固溶量が少なくなって、充分な焼付硬化性が得られなくなるばかりでなく、延性と曲げ性も著しく悪化するから、溶体化処理温度は４８０℃以上とする必要がある。なお特に溶体化効果を重視する場合は、溶体化処理温度は５００℃以上とすることが好ましい。一方溶体化処理温度の上限は特に規定しないが、共晶融解の発生のおそれや再結晶粒粗大化等を考慮して、通常は５８０℃以下とすることが望ましい。また溶体化処理の時間は特に規制しないが、通常は５分を越えれば溶体化効果が飽和し、経済性を損なうばかりではなく、結晶粒の粗大化のおそれもあるから、溶体化処理の時間は５分以内が望ましい。
【００６２】
溶体化処理後には、１００℃／ｍｉｎ以上の冷却速度で、５０℃以上１５０℃未満の温度域まで冷却（焼入れ）する。ここで、溶体化処理後の冷却速度が１００℃／ｍｉｎ未満では、冷却中にＭｇ２Ｓｉあるいは単体Ｓｉが粒界に多量に析出してしまい、成形性、特にヘム曲げ性が低下すると同時に、焼付硬化性が低下して塗装焼付時の充分な強度向上が望めなくなる。
【００６３】
上述のように４８０℃以上の温度での溶体化処理を行なって１００℃／ｍｉｎ以上の冷却速度で５０℃以上１５０℃未満の温度域内まで冷却（焼入れ）した後には、５０℃未満の温度域（室温）まで温度降下しないうちに、この温度範囲内（５０〜１５０℃未満）で１時間以上の安定化処理を行なう。この安定化処理は、５０〜１５０℃未満の温度範囲内の一定温度で１時間以上保持しても、あるいはその温度範囲内で１時間以上かけて冷却（徐冷）しても良い。
【００６４】
このように溶体化処理して５０〜１５０℃未満の温度域に焼入れた後、５０℃未満の温度域まで冷却することなくそのまま５０〜１５０℃未満の温度で安定化処理を行なう理由は次の通りである。すなわち、溶体化処理後、特に１００℃／ｍｉｎ以上の平均冷却速度で５０℃未満の室温に冷却した場合には、室温クラスターが生成される。この室温クラスターは強度に寄与するＧ．Ｐ．ゾーンに移行しにくいため、塗装焼付硬化性に不利となる。一方、溶体化処理後に１５０℃以上の温度範囲に冷却してそのまま保持した場合には、Ｇ．Ｐ．ゾーンあるいは安定相が生成され、成形前の素材強度が高くなり過ぎて、曲げ加工性やその他の成形性が劣化する。したがって曲げ加工性およびプレス加工性と塗装焼付硬化性とのバランスの観点からは、溶体化処理−焼入れ−安定化処理が上記の条件を満たすことが必要である。
【実施例】
【００６５】
表１に示すこの発明の成分組成範囲内の合金記号Ａ１〜Ａ４の合金について、それぞれ常法に従って溶製し、ＤＣ鋳造法によりスラブに鋳造し、得られたスラブに対して種々の条件で均質化処理を施した。均質化処理後は、一部のもの（製造番号２）については３６７℃まで冷却してから熱間圧延に供し、その他のものについては水冷により種々の冷却速度で２００℃以下まで冷却してその後室温まで放冷し、その後２℃／ｈｒ以上の加熱速度で種々の温度に再加熱して、その温度で熱間圧延を開始した。熱間圧延では、スラブ厚（２５０ｍｍ以上）から、５ｍｍ（製造番号２、３）もしくは３ｍｍ（製造番号１、４〜９）まで圧延した。またこの熱間圧延においては、中間板厚１５０〜５０ｍｍの段階の代表板厚として１００ｍｍ、６０ｍｍで材料温度の測定を行なうとともに、その板厚段階における熱間圧延開始からの温度降下量が１５０℃以内となるように制御し、さらに熱間圧延終了温度を測定した。熱間圧延終了後コイルに巻取り、その後、冷間圧延途中に中間焼鈍を施すことなく、１ｍｍの板厚まで冷間圧延した。さらに一部のもの（製造番号７）については２５０℃×２時間保持の低温焼鈍を行なってから溶体化処理を行ない、その他のもの（製造番号１〜６、８、９）については、上記の低温焼鈍を行なうことなく溶体化処理を行なった。溶体化処理は、加熱により種々の溶体化処理温度に到達した後、保持時間なしで直ちに１００℃／ｍｉｎ以上の冷却速度で種々の温度まで冷却（焼入れ）し、引き続いて種々の安定化処理を行なった。これらの製造プロセスの詳細な条件を表２、表３の製造番号１〜９に示す。
【００６６】
なお表２、表３において、製造番号１〜３、６、８、９は、安定化処理を一定温度保持で行なったもの、一方製造番号４、５、７は、安定化処理として、一定温度の保持を行なう代りに１００℃から６０℃までの間を冷却速度２〜１５℃／ｈの範囲で徐冷したものである。
【００６７】
以上のようにして得られた各板について、室温に３ヶ月放置したのち、それぞれ２％ストレッチ後、１７０℃×２０分の塗装焼付（ベーク）処理を施し、かつその焼付前の板について各方向に引張試験を行なって、各方向の加工硬化指数およびΔｒ値を調べるとともに、機械的強度として０．２％耐力値を測定した。また同じく焼付前の板について、板厚方向各位置における集合組織（結晶方位密度）を調べるとともに、結晶粒度を調べた。さらに塗装焼付後の板について各方向に引張試験を行なって０.２％耐力を調べるとともに、同じく塗装焼付後の板について、カップ絞り試験による耳率と、プレス成形性評価として角頭絞り高さを調べ、またヘム曲げ試験によるヘム曲げ加工性評価と、ポンチ張出し試験によるリジング・マーク発生評価を行なった。これらの結果を表４、表５に示す。
【００６８】
各測定、試験の具体的手法を次に示す。
【００６９】
引張試験（加工硬化指数ｎ０、ｎ４５、ｎ９０、Δｒ値、耐力）：
板の圧延方向に対し板面内０°、４５°、９０°の３方向にＪＩＳ５号引張試験片を採取し、それぞれについて引張試験に供した。そして０°方向の０．２％耐力値を調べるとともに、各方向について、伸びが１０％となるときのｎ値（ｎ０、ｎ４５、ｎ９０）を調べ、さらにランクフォード値（ｒ値）として、各方向とも伸びが７．５％となるときのｒ値を求め、各方向のｒ値（ｒ０、ｒ４５、ｒ９０）から前記（５）式に従ってΔｒ値を求めた。
【００７０】
集合組織（結晶方位密度）の測定：
厚さ１ｍｍの板について、１０％ＮａＯＨ水溶液で表面から板厚中央に向けて種々の深さまでエッチングしたもの、およびエッチングしないものをそれぞれ測定サンプルとした。そして板表面のキューブ方位密度（Ｃ０）、板表面から２５０μｍの位置のキューブ方位密度（Ｃ１／４）、５００μｍの位置のキューブ方位密度（Ｃ１／２）を求めた。測定装置としては、リガク（株）のＸ線回折装置を用い、Ｘ線回折のシェルツ反射法により、｛２００｝、｛２２０｝、｛１１１｝の不完全極点図を測定し、これらを元に三次元結晶方位解析（ＯＤＦ）を行なって調べた。またこれらの解析においては、アルミニウム粉末から作られたランダム結晶方位を有する試料を測定して得たデータを｛２００｝、｛２２０｝、｛１１１｝極点図の解析の際に使う規格化ファイルとし、これによりランダム方位を有する試料に対する倍数としてキューブ方位密度、すなわち｛１００｝<００１>方位の密度を求めた。なおこの発明において、結晶方位密度は全て三次元結晶方位解析（ＯＤＦ）に基づくものである。
【００７１】
耳率：
板に潤滑油を塗布した後、ポンチ径φ３２ｍｍ、ブランク径φ６２ｍｍ、しわ押さえ１００ｋｇの条件でカップに絞り、そのカップの耳率を調べた。なおここで耳率の方向は、圧延方向を基準にした０°方向、９０°方向で示す。
【００７２】
ヘム加工性の評価：
約２５℃の室温に３ヶ月放置した材料を、予め１００℃の電気炉で時効させて、圧延方向に対し垂直な方向の０．２％耐力が１４５ＭＰａとなった時点で、その材料から圧延方向に対して板面内０°、４５°、９０°三方向に曲げ試験片を採取し、１５％ストレッチしてから、板厚０．５ｍｍの中板を挿入して１８０°の曲げ試験を行ない、目視により割れの発生の有無を観察した。ここで○印は割れ無しを、また×印は割れ有りを示す。
【００７３】
リジング・マークの発生評価：
直径１００ｍｍの球頭ポンチで高さ３０ｍｍまで張出成形を行ない、表面に形成される圧延方向に沿う筋（凹凸）を目視で判定した。○印は筋なしあるいは筋が弱い状態を示し、×印は筋が強い状態を示す。ここで筋が強ければ、自動車用外板の外観として不適当となる。
【００７４】
角頭絞り高さ（プレス加工性評価）：
板に防錆油を塗布した後、寸法２００ｍｍ×３００ｍｍ・コーナーＲ１０ｍｍの角頭ポンチを用いて、しわ押さえ３ｔｏｎにより角頭絞り試験を行ない、成形高さ（成形性）を評価した。
【００７５】
最終板の結晶粒度：
板の圧延方向と平行な断面において光学顕微鏡で撮影した写真をもとにＡＳＴＭナンバーを判定した。
【００７６】
【表１】
2005171295.tif 000002
【００７７】
【表２】
2005171295.tif 000003
【００７８】
【表３】
2005171295.tif 000004
【００７９】
【表４】
2005171295.tif 000005
【００８０】
【表５】
2005171295.tif 000006
【００８１】
製造番号１〜５は、いずれも合金の成分組成がこの発明で規定する範囲内であって、かつ製造プロセス条件もこの発明で規定する範囲内であり、最終板の結晶方位密度条件等もすべてこの発明で規定する条件を満たしたものであるが、これらの場合は、ヘム加工性（曲げ加工性）が優れていると同時に、角頭絞り高さが充分に高くプレス加工性が優れており、また焼付硬化性が高く、塗装焼付時に充分な焼付硬化性を示し、さらにΔｒ値で表わされる面内異方性も小さく、またリジングマークの発生も認められなかった。
【００８２】
これに対し製造番号６〜９は、合金の成分組成はこの発明で規定する範囲内であるが、製造プロセス条件のいずれかがこの発明の範囲外であって、結晶方位密度条件等のいずれかがこの発明で規定する条件を満たさなかったものである。これらのうち、製造番号６の場合は耐リジング性が悪く、またｎ値の条件が外れてヘム曲げ性が劣るとともに、角頭絞り高さ（プレス加工性）も劣り、さらに焼付け硬化性も劣り、結晶粒も粗かった。製造番号７の場合は、ｎ値の条件が外れて、角頭絞り高さが低くてプレス加工性に劣るとともに、面内異方性Δｒが大きく、また焼付け硬化性が劣り、さらに結晶粒が粗かった。また製造番号８の場合は、耐リジング性が悪く、また４５°方向のヘム曲げ性が劣っていた。さらに製造番号９の場合は、４５°方向のヘム曲げ性が劣るとともに、塗装焼付け硬化性が劣っていた。
【００８３】
なお以上の実施例は、この発明の効果を説明するためのものであり、実施例記載のプロセスおよび条件がこの発明の技術的範囲を制限するものではない。